【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
ある一定の動作周波数を有する小型半波長バランであって、
電源インピーダンスに接続するための第１信号搬送端子を有するシングルエンド入出力ポートと、
負荷インピーダンスに接続するための第２および第３信号搬送端子を有する差動入出力ポートと、
同一の長さおよび特性インピーダンスの第１伝送線路部および第２伝送線路部を有し、その長さが前記動作周波数における無線周波数信号の波長の実質的に半分未満である、少なくとも１本の伝送線路と、
前記第１伝送線路部の第１端部において第１回路ノードに接続された第１負荷シャントキャパシタと、
前記第２伝送線路部の第１端部において第２回路ノードに接続された第２負荷シャントキャパシタとを備え、
前記第１および第２伝送線路部の両第２端部は第３回路ノードにおいて互いに接続され、
更に、前記第３回路ノードに接続されたシャントキャパシタ素子を備え、
前記第１信号搬送端子は前記第１伝送線路部と結合され、前記第２信号搬送端子は前記第１回路ノードに直接接続されると共に、前記第１回路ノードにおいて前記第１伝送線路部と結合され、前記第３信号搬送端子は前記第２回路ノードに直接接続されると共に、前記第２回路ノードにおいて前記第２伝送線路部と結合され、
前記シャントキャパシタ素子のキャパシタンスは、ある選択された周波数における前記差動入出力ポートのコモンモード・インピーダンスが実質的にゼロ・オームとなるように選定されることを特徴とする小型半波長バラン。
【請求項２】
ある一定の動作周波数を有する小型半波長バランであって、
電源インピーダンスに接続するための第１信号搬送端子を有するシングルエンド入出力ポートと、
負荷インピーダンスに接続するための第２および第３信号搬送端子を有する差動入出力ポートと、
同一の長さおよび特性インピーダンスの第１伝送線路部および第２伝送線路部を有し、その長さが前記動作周波数における無線周波数信号の波長の実質的に半分未満である、少なくとも１本の伝送線路と、
前記第１伝送線路部の第１端部において第１回路ノードに接続され、キャパシタンスＣA1を有する第１負荷シャントキャパシタと、
前記第２伝送線路部の第１端部において第２回路ノードに接続された第２負荷シャントキャパシタとを備え、
前記第１負荷シャントキャパシタのキャパシタンスＣA1が前記第２負荷シャントキャパシタのキャパシタンスＣA2に実質的に等しく、
前記第１および第２伝送線路部の両第２端部は第３回路ノードにおいて互いに接続され、
更に、前記第３回路ノードに接続されたシャントキャパシタ素子を備え、
前記シャントキャパシタ素子のキャパシタンスＣＢが式（１）で表されるように、ＣA1およびＣA2に対して実質的に関連しており、
前記第１信号搬送端子は前記第１伝送線路部と結合され、前記第２信号搬送端子は前記第１回路ノードにおいて前記第１伝送線路部と結合され、前記第３信号搬送端子は前記第２回路ノードにおいて前記第２伝送線路部と結合され、
前記シャントキャパシタ素子のキャパシタンスは、ある選択された周波数における前記差動入出力ポートのコモンモード・インピーダンスが実質的にゼロ・オームとなるように選定されることを特徴とする小型半波長バラン。
【数１】
2007282231.tif 000001
【請求項３】
ある一定の動作周波数を有する小型半波長バランであって、
電源インピーダンスに接続するための第１信号搬送端子を有するシングルエンド入出力ポートと、
負荷インピーダンスに接続するための第２および第３信号搬送端子を有する差動入出力ポートと、
同一の長さおよび特性インピーダンスの第１伝送線路部および第２伝送線路部を有し、その長さが前記動作周波数における無線周波数信号の波長の実質的に半分未満である、少なくとも１本の伝送線路と、
前記第１伝送線路部の第１端部において第１回路ノードに接続された第１負荷シャントキャパシタと、
前記第２伝送線路部の第１端部において第２回路ノードに接続された第２負荷シャントキャパシタとを備え、
前記第１および第２伝送線路部の両第２端部は第３回路ノードにおいて互いに接続され、
更に、前記第３回路ノードに接続されたシャントキャパシタ素子を備え、
前記シャントキャパシタ素子のキャパシタンスは、ある選択された周波数における前記差動入出力ポートのコモンモード・インピーダンスが実質的にゼロ・オームとなるように選定され、
前記第１信号搬送端子は前記第１伝送線路部と結合され、前記第２信号搬送端子は、第１回路ノードと第３回路ノードとの間にあり且つ第１回路ノードから距離ｅの位置にある、第１伝送線路部上の点において前記第１伝送線路部と結合され、前記第３信号搬送端子は、第２回路ノードと第３回路ノードとの間にあり且つ第２回路ノードから距離ｅの位置にある、第２伝送線路部上の点において前記第２伝送線路部と結合され、
Ｌを第１伝送線路部および第２伝送線路部の電気的長さとしたとき、負荷インピーダンスの差動モード成分ＺDLは、式（２）に従って電源インピーダンスＺＳにほぼ整合していることを特徴とする小型半波長バラン。
【数２】
2007282231.tif 000002
【請求項４】
ωを前記動作周波数における無線周波数信号の角周波数とし、
λをその信号の波長とし、
Ｚ０を前記第１伝送線路部および前記第２伝送線路部の特性インピーダンスとしたとき、
前記第１シャントキャパシタのキャパシタンスＣA1および前記第２シャントキャパシタのキャパシタンスＣA2は、式（３）によって実質的に与えられ、前記シャントキャパシタ素子のキャパシタンスＣＢは、式（４）によって実質的に与えられることを特徴とする請求項３記載の小型半波長バラン。
【数３】
2007282231.tif 000003
【数４】
2007282231.tif 000004
【請求項５】
請求項１記載の小型半波長バランを含む結合線路バランであって、更に、
前記第１および第２伝送線路部と等しい長さおよび特性インピーダンスの第３伝送線路部および第４伝送線路部を有する第２伝送線路であって、前記第３および第４伝送線路部の各々が前記第１および第２伝送線路部の対応するそれぞれに結合され、前記第１信号搬送端子が前記第３伝送線路部に接続されている第２伝送線路と、
前記第３伝送線路部の第１端部において更なる回路ノードに接続された第３負荷シャントキャパシタと、
前記第４伝送線路部の第１端部において更なる回路ノードに接続された第４負荷シャントキャパシタとを備えたことを特徴とする結合線路バラン。
【請求項６】
請求項１に記載の小型半波長バランを含む結合線路バランであって、更に、１組以上の相互結合伝送線路を備え、前記第１信号搬送端子は前記相互結合伝送線路のうちの１本における一方の端部に接続され、前記相互結合伝送線路のうちの１本は前記第１および第２伝送線路部に結合され、前記相互結合伝送線路の各々の電気的長さは前記動作周波数における無線周波数信号の波長の実質的に半分未満であることを特徴とする結合線路バラン。
【請求項７】
更に、前記第１および第２回路ノードと、前記相互結合伝送線路のうちの前記第１信号搬送端子が接続された１本における第１および第２端部との間にそれぞれ接続された第１および第２帰還キャパシタを備えたことを特徴とする請求項６記載の結合線路バラン。
【請求項８】
請求項１記載の小型半波長バランを含む音響共振フィルタであって、前記第２および第３信号搬送端子は格子形音響共振回路を介して前記第１および第２回路ノードに接続され、前記小型半波長バランは、前記格子形音響共振回路の通過帯域とオーバーラップする動作帯域を有することを特徴とする音響共振フィルタ。
【請求項９】
請求項１記載の小型半波長バランを含む音響共振フィルタであって、更に、前記第１回路ノードと前記第２信号搬送端子との間および前記第２回路ノードと前記第３信号搬送端子との間にそれぞれ接続された一対のはしご形音響共振回路を備え、前記はしご形音響共振回路は共通の通過帯域を有し、前記小型半波長バランは、前記はしご形音響共振回路の共通の通過帯域とオーバーラップする動作帯域を有することを特徴とする音響共振フィルタ。